(57)【要約】      （修正有）【課題】軽量で持運び・収納・組立が簡単なうえ、重量物の載置にも耐えうる丈夫な組立式展示台を提供する。【解決手段】プラスチック段ボールを素材とする２段構成の組立式展示台であり、左側面１１・前面２１，３１・右側面を有しコの字型に立設された基板１と、下段を構成する下台板３と、上段を構成する上台板２と、下段を補強する下補強板５と、上段を補強する上補強板４と、展示台を背後から補強する後補強板と、を具備し、下台板３、上台板２、下補強板５、上補強板４及び後補強板は、基板１を構成する左側面１１と右側面に設置された複数のスリットに嵌め込む形で設置される。また、上補強板４と上台板２を嵌め込むスリットを選択することにより、上段を水平に、又は斜めに設置することができる。【選択図】図２
0003190152.tif 000002
【実用新案登録請求の範囲】
【請求項１】
組立式の展示台であって、
左側面・前面・右側面を有しコの字型に立設された基板と、
前面・台面・背面から成り下段を構成する下台板と、
同じく前面・台面・背面から成り上段を構成する上台板と、
下段を補強する下補強板と、
上段を補強する上補強板と、
展示台を背後から補強する後ろ補強板と、
を具備し、前記下台板、前記上台板、前記下補強板、前記上補強板及び前記後ろ補強板は、前記基板を構成する前記左側面及び前記右側面に設置された複数のスリットに嵌設されることを特徴とする展示台。
【請求項２】
前記基板の前記左側面及び前記右側面は立設時の上辺が上下２段になっており、上段に前記上台板を下段に前記下台板をそれぞれ嵌設可能となっていることを特徴とする請求項１記載の展示台。
【請求項３】
素材がプラスチック段ボールであることを特徴とする請求項１又は２記載の展示台。
【請求項４】
前記上台板及び前記上補強板を、前記複数のスリットのいずれかを選択して嵌設することにより、前記上段を水平に又は斜めに設置することができることを特徴とする請求項１乃至３のいずれかに記載の展示台。
【考案の詳細な説明】
【技術分野】
【０００１】
本考案は、組立式の展示台に関する。
【背景技術】
【０００２】
展示会では、重量物の載置にも耐えられるようにすべく、木製又は金属製の展示台が使用されることが多い。これらのうち、木製の展示台は、展示会終了後に分解・廃棄されるのが一般的である。
【先行技術文献】
【特許文献】
【０００３】
【特許文献１】特開２００１−３７６１９号公報
【特許文献２】実開平５−４９６１号公報
【考案の概要】
【考案が解決しようとする課題】
【０００４】
展示会で使用される展示台は耐重量性が求められるため、丈夫な木製のものか金属製のものが使用されることが多い。しかし、木製や金属製の展示台は、それ自体重量があり、持運びに不便なうえ、高価である。
【０００５】
また、木製の展示台は展示会終了後には廃棄されるのが一般的であるため、展示会ごとに新たな展示台を作成する必要があり、さらなるコスト増につながっている。
【０００６】
特許文献１には、両側の側板を分割形状とすることにより収納時のコンパクト性と作業容易性を提案する組立式雛壇の発明が開示されている。展示台、雛壇といった用途の違いはあるが、組立・収納時の労力軽減を課題とする点は本考案と共通する。しかしながら、同雛壇は、素材に木材を使用する点では従来のものと変わりなく、運搬時の重量の軽減は図られていない。また、組立てに螺子等の固定部材を使用することから、収納・組立時の作業軽減の問題は十分解決されているとは言い難い。
【０００７】
特許文献２には、側板に可撓性を有する素材を使用した折り畳み部を設けた折り畳み式展示台の考案が開示されており、持運びと組立てにおける利便性についての課題解決が提案されている。しかしながら、同展示台は底板・側板・背面板が一体となっているため、収納時の横方向の大きさは、従来の展示台との比較において小さくなっているとはいえない。また、同展示台は素材として木材・プラスチック材以外のものを使用する傍ら、可撓性を有する折り畳み部の補強として、同所に補強板を着脱可能に設置しているが、同補強板の設置だけでは、展示台全体の耐重量性は不十分であると言わざるを得ない。
【０００８】
これらの問題を踏まえ、本考案は、非常に軽量で持運び・収納・組立が簡単なうえ、重量物の載置にも耐えうる、丈夫な組立式展示台を提供することを課題とする。
【課題を解決するための手段】
【０００９】
上記課題を解決するために、本考案に係る展示台は、比較的安価に入手でき、非常に軽く、折り曲げや切断等の加工が容易であるプラスチック段ボールを素材とする。
【００１０】
展示台本体は下段と上段の２段構成となっており、左側面・前面・右側面を有しコの字型に立設される基板と、前面・台面・背面から成り下段を構成する下台板と、同じく前面・台面・背面から成り上段を構成する上台板と、下段を補強する下補強板と、上段を補強する上補強板と、展示台を背後から補強する後補強板と、を具備し、前記下台板、前記上台板、前記下補強板、前記上補強板及び前記後補強板は、前記基板を構成する左側面と右側面に設置された複数のスリットに嵌設される。また、前記基板の左側面と右側面は、下台板及び上台板を段差を付けて載置すべく、２段形状となっている。
【００１１】
本展示台は通常、上段・下段ともに台面が水平になるように組み立てて使用するが、上台板及び上補強板を、水平に組み立てるときとは別のスリットに嵌め込むことにより、上段に傾斜を設けた展示台を作成することができる。この場合、載置物が滑落しないように滑り止めシートが付設されている。
【００１２】
基板、上台板及び下台板はそれぞれ各面の境目で折り畳める構成になっているため、収納・運搬時にはコンパクトになる。
【考案の効果】
【００１３】
軽いプラスチック段ボールを素材として使用しているうえ、分解して折り畳むことができるため、持ち運びが容易である。
【００１４】
螺旋等の固定部材を使用せず、台板等の部材を基板のスリットに嵌め込むだけで組み立てることができるため、設置・解体が容易である。
【００１５】
上段の台面は水平状態に加えて、傾斜をつけることもできるため、載置物に応じて効果的な展示が可能となる。
【００１６】
適所に補強部材を効果的に使用することにより、木材を使用しない展示台としては、大幅に強度が増している。
【００１７】
製造コストが低く、使用後は分解して保管し、再利用することができる。
【００１８】
木製のものを使用した時のように木屑が発生しないうえ、床を傷つけることもない。
【図面の簡単な説明】
【００１９】
【図１】本展示台を構成する各部材を示す平面図である。
【図２】上段が水平になるよう組み立てたときの本展示台の斜視図である。（Ａ）前方からの斜視図  （Ｂ）後方からの斜視図
【図３】上段が水平になるように組み立てる場合の組立方法を示す側面図である。
【図４】上段に傾斜を設けて組み立てたときの本展示台の斜視図である。（Ａ）前方からの斜視図  （Ｂ）後方からの斜視図
【図５】上段に傾斜を設けて組み立てる場合の組立方法を示す側面図である。
【考案を実施するための形態】
【００２０】
以下、本考案の実施形態について図を用いて説明する。
【００２１】
図１に示すように、本展示台を構成する主な部材は基板１、上台板２、下台板３、上補強板４、下補強板５及び後補強板６の６点である。そのほか、後述するように上段に傾斜をつけて組み立てたときに使用する滑り止めシート７が補助具として付属する。
【００２２】
基板１は左側面１１、右側面１２及び前面１３を有し、それぞれの面が互いに直角になるようにコの字型に立設する。また、基板１の左側面１１及び右側面１２は、図３に示すように、立設時の上辺が上下２段になっており、上段１４に上補強板４と上台板２を、下段１５に下補強板５と下台板３を橋設することにより、図２又は図４に示すような上下２段の展示台が作出される。
【００２３】
上台板２は前面２１・台面２２・背面２３を有し、下台板３も同様に前面３１・台面３２・背面３３を有する。上補強板４は３面を有しコの字型になっている一方、下補強板５と後補強板６は１面のみで構成されている。基板１の左側面１１の辺上にはａ乃至ｊの１０のスリットが、また右側面１２の辺上には前記左側面のスリットに対応するａ´乃至ｊ´のスリットが形成されており、上台板２・下台板３・上補強板４・下補強板５・後補強板６は、下台板３の前面を除き、これらのスリットに嵌設される形で組み立てられる。
【００２４】
次に、図３を用いて組立の手順について説明する。まず、下補強板５をスリットａ−ａ´に嵌め込む。つづけて、下補強板５の上に下台板３を設置する。下台板３は、背面３３をスリットｂ−ｂ´に嵌め込みつつ、台面３２を下段１５上に載置し、前面３１を基板１の前面１３に着設する。下台板３の前面３１と基板１の前面１３には、対応する位置に着接具（面ファスナー）７及び８が設置されており、これにより下台板３の前面３１が基板１の前面１３に固着される。
【００２５】
次に、後補強板６を基板背後のスリットｉ−ｉ´に斜めに嵌め込み、上補強板４をコの字型の開放部を下に向けてスリットｃ−ｃ´及びｄ−ｄ´に嵌め込む。最後に、上補強板４の上に上台板２を設置する。上台板２は、前面２１をスリットｂ−ｂ´に、背面２３をスリットｈ−ｈ´に嵌め込みつつ、台面２２を上段１４上に載置する。
【００２６】
以上は上下段とも台面を水平とする場合の組立方法であるが、以下に上段に傾斜を設ける場合の組立の手順について、図４を用いて説明する。
【００２７】
下補強板５・下台板３・後補強板６の設置までは水平台のときの手順と同様である。上補強板４は、コの字型の開放部を下に向けてスリットｅ−ｅ´及びｆ−ｆ´に嵌め込む。つづけて、上台板２を上補強板４の上に設置する。上台板２は、前面２１をスリットｂ−ｂ´に、背面２３をスリットｇ−ｇ´に嵌め込む。スリットｂ・ｂ´、ｅ・ｅ´、ｆ・ｆ´及びｇ・ｇ´は、それぞれ深さに差を付けて、また浅く作成されているため、上補強板４及び上台板２は台面２２が前方に傾斜する形で後方が基板１から浮いて設置される。
【００２８】
斜めに設置された台面上には、付設の滑り止めシート９を敷く。
【符号の説明】
【００２９】
１    基板
１１  左側面
１２  右側面
１３  前面
１４  上段
１５  下段
ａ  スリットａ（左側面）      ａ´  スリットａ´（右側面）
ｂ  スリットｂ（左側面）      ｂ´  スリットｂ´（右側面）
ｃ  スリットｃ（左側面）      ｃ´  スリットｃ´（右側面）
ｄ  スリットｄ（左側面）      ｄ´  スリットｄ´（右側面）
ｅ  スリットｅ（左側面）      ｅ´  スリットｅ´（右側面）
ｆ  スリットｆ（左側面）      ｆ´  スリットｆ´（右側面）
ｇ  スリットｇ（左側面）      ｇ´  スリットｇ´（右側面）
ｈ  スリットｈ（左側面）      ｈ´  スリットｈ´（右側面）
ｉ  スリットｉ（左側面）      ｉ´  スリットｉ´（右側面）
ｊ  スリットｊ（左側面）      ｊ´  スリットｊ´（右側面）
２    上台板
２１  前面
２２  台面
２３  背面
３    下台板
３１  前面
３２  台面
３３  背面
４    上補強板
５    下補強板
６    後補強板
７    着接具（面ファスナー）
８    着接具（面ファスナー）  
９    滑り止めシート
【図１】
0003190152.tif 000003
【図２】
0003190152.tif 000004
【図３】
0003190152.tif 000005
【図４】
0003190152.tif 000006
【図５】
0003190152.tif 000007